【手続補正書】
【提出日】平成16年2月26日(2004.2.26)
【手続補正１】
【補正対象書類名】明細書
【補正対象項目名】特許請求の範囲
【補正方法】変更
【補正の内容】
【特許請求の範囲】
【請求項１】
スイッチの接点の開閉状態を判定するための入力信号ラインに接続され、該入力信号ラインの入力インピーダンスを、閉状態のスイッチの接点に腐食防止電流を流すことが可能な低インピーダンス状態にしうる低インピーダンス手段と、
該入力信号ラインに接続され、低インピーダンス手段のインピーダンスよりも高いインピーダンスを有する高インピーダンス手段とを備えるスイッチの腐食防止装置において、
スイッチの接点が開状態の間、入力信号ラインの入力インピーダンスが前記低インピーダンス手段により低インピーダンス状態に保たれ、スイッチの接点が開状態から閉状態に遷移するときに、少なくとも予め定める保持時間の間、該低インピーダンス状態が保持されてなることを特徴とするスイッチの接点腐食防止装置。
【請求項２】
前記接点が閉状態となっている期間が前記保持時間の経過後にも継続するときに、前記入力信号ラインの入力インピーダンスが定期的に前記低インピーダンス手段により低インピーダンス状態にされてなることを特徴とする請求項１記載のスイッチの接点腐食防止装置。
【請求項３】
スイッチの接点の開閉状態を判定するための入力信号ラインに接続され、該入力信号ラインの入力インピーダンスを、閉状態のスイッチの接点に腐食防止電流を流すことが可能な低インピーダンス状態にしうる低インピーダンス手段と、
該入力信号ラインに接続され、低インピーダンス手段のインピーダンスよりも高いインピーダンスを有する高インピーダンス手段とを備えるスイッチの腐食防止装置において、
スイッチの接点が開状態の間、入力信号ラインの入力インピーダンスが前記低インピーダンス手段により低インピーダンス状態に保たれ、スイッチの接点が閉状態中に予め定められる保持時間には、入力信号ラインの入力インピーダンスが前記低インピーダンス手段により低インピーダンス状態にされて腐食防止電流が流れるとともに、該腐食防止電流の電流値の変化が緩慢化して行われることを特徴とするスイッチの接点腐食防止装置。
【請求項４】
スイッチの接点の開閉状態を判定するための入力信号ラインに接続され、該入力信号ラインの入力インピーダンスを、閉状態のスイッチの接点に腐食防止電流を流すことが可能な低インピーダンス状態にしうる低インピーダンス手段と、
該入力信号ラインに接続され、低インピーダンス手段のインピーダンスよりも高いインピーダンスを有する高インピーダンス手段とを備えるスイッチの腐食防止装置において、
スイッチの接点が開状態の間、入力信号ラインの入力インピーダンスが前記低インピーダンス手段により低インピーダンス状態に保たれ、スイッチの接点が閉状態中に予め定められる保持時間には、入力信号ラインの入力インピーダンスが前記低インピーダンス手段により低インピーダンス状態にされて腐食防止電流が流れるとともに、接点の開閉についての時間的な情報に基づいて、該保持時間の長さが変更されることを特徴とするスイッチの接点腐食防止装置。
【請求項５】
スイッチの接点の開閉状態を判定するための入力信号ラインに接続され、該入力信号ラインの入力インピーダンスを、閉状態のスイッチの接点に腐食防止電流を流すことが可能な低インピーダンス状態にしうる低インピーダンス手段と、
該入力信号ラインに接続され、低インピーダンス手段のインピーダンスよりも高いインピーダンスを有する高インピーダンス手段とを備えるスイッチの腐食防止装置において、
前記低インピーダンス手段は、スイッチの接点に腐食防止電流を供給する電流供給手段であり、
電流供給手段の温度を検出する温度検出手段を含み、
スイッチの接点が開状態の間、入力信号ラインの入力インピーダンスが前記低インピーダンス手段により低インピーダンス状態に保たれ、スイッチの接点が閉状態中に予め定められる保持時間には、入力信号ラインの入力インピーダンスが前記低インピーダンス手段により低インピーダンス状態にされて腐食防止電流が流れるとともに、温度検出手段が検出する電流供給手段の温度に基づき、温度が高くなると該保持時間が短くなることを特徴とするスイッチの接点腐食防止装置。
【請求項６】
スイッチの接点の開閉状態を判定するための入力信号ラインに接続され、該入力信号ラインの入力インピーダンスを、閉状態のスイッチの接点に腐食防止電流を流すことが可能な低インピーダンス状態にしうる低インピーダンス手段と、
該入力信号ラインに接続され、低インピーダンス手段のインピーダンスよりも高いインピーダンスを有する高インピーダンス手段とを備えるスイッチの腐食防止装置において、
スイッチが閉状態のときの接点のインピーダンスを検出するインピーダンス検出手段を含み、
スイッチの接点が開状態の間、入力信号ラインの入力インピーダンスが前記低インピーダンス手段により低インピーダンス状態に保たれ、スイッチの接点が閉状態中に予め定められる保持時間には、入力信号ラインの入力インピーダンスが前記低インピーダンス手段により低インピーダンス状態にされて腐食防止電流が流れるとともに、インピーダンス検出手段によって検出される接点のインピーダンスの高低に応じて、該保持時間が長短に変更されることを特徴とするスイッチの接点腐食防止装置。
【請求項７】
スイッチの接点の開閉状態を判定するための入力信号ラインに接続され、該入力信号ラインの入力インピーダンスを、閉状態のスイッチの接点に腐食防止電流を流すことが可能な低インピーダンス状態にしうる低インピーダンス手段と、
該入力信号ラインに接続され、低インピーダンス手段のインピーダンスよりも高いインピーダンスを有する高インピーダンス手段とを備えるスイッチの腐食防止装置において、
スイッチの接点が開状態の間、入力信号ラインの入力インピーダンスが前記低インピーダンス手段により低インピーダンス状態に保たれ、スイッチの接点が閉状態中に予め定められる保持時間には、入力信号ラインの入力インピーダンスが前記低インピーダンス手段により低インピーダンス状態にされて腐食防止電流が流れるとともに、スイッチの使用環境に応じて該保持時間を設定する頻度が変更されることを特徴とするスイッチの接点腐食防止装置。
【請求項８】
スイッチの接点の開閉状態を判定するための入力信号ラインに接続され、該入力信号ラインの入力インピーダンスを、閉状態のスイッチの接点に腐食防止電流を流すことが可能な低インピーダンス状態にしうる低インピーダンス手段と、
該入力信号ラインに接続され、低インピーダンス手段のインピーダンスよりも高いインピーダンスを有する高インピーダンス手段とを備えるスイッチの腐食防止装置において、
スイッチの接点が開状態の間、入力信号ラインの入力インピーダンスが前記低インピーダンス手段により低インピーダンス状態に保たれ、スイッチの接点が開状態から閉状態に遷移すると、少なくとも予め定める遅延時間が経過するまでは、該入力信号ラインの入力インピーダンスは高インピーダンス手段による該高インピーダンス状態にされて、該遅延時間の経過後に、該入力信号ラインの入力インピーダンスは該低インピーダンス状態にされて腐食防止電流が流れることを特徴とするスイッチの接点腐食防止装置。
【請求項９】
前記遅延時間は、前記スイッチのチャタリングに対応する時間であることを特徴とする請求項８記載のスイッチの腐食防止装置。
【請求項１０】
前記低インピーダンス手段に供給される電源電圧は、前記高インピーダンス手段に供給される電源電圧よりも高いことを特徴とする請求項１〜９のいずれか１つに記載のスイッチの接点腐食防止装置。
【手続補正２】
【補正対象書類名】明細書
【補正対象項目名】００１４
【補正方法】変更
【補正の内容】
【００１４】
【課題を解決するための手段】
本発明は、スイッチの接点の開閉状態を判定するための入力信号ラインに接続され、該入力信号ラインの入力インピーダンスを、閉状態のスイッチの接点に腐食防止電流を流すことが可能な低インピーダンス状態にしうる低インピーダンス手段と、
該入力信号ラインに接続され、低インピーダンス手段のインピーダンスよりも高いインピーダンスを有する高インピーダンス手段とを備えるスイッチの腐食防止装置において、
スイッチの接点が開状態の間、入力信号ラインの入力インピーダンスが前記低インピーダンス手段により低インピーダンス状態に保たれ、スイッチの接点が開状態から閉状態に遷移するときに、少なくとも予め定める保持時間の間、該低インピーダンス状態が保持されてなることを特徴とするスイッチの接点腐食防止装置である。


【手続補正３】
【補正対象書類名】明細書
【補正対象項目名】００１５
【補正方法】変更
【補正の内容】
【００１５】
本発明に従えば、高インピーダンス手段によってスイッチの接点の開閉状態を、入力信号ラインの入力インピーダンスが、閉状態の接点に腐食防止電流を流すことが可能な低インピーダンス状態よりも高い高インピーダンス状態で判定することができる。低インピーダンス手段は、入力信号ラインを、接点の開状態で低インピーダンス状態に保ち、スイッチの接点が開状態から閉状態に遷移するときに、少なくとも予め定める保持時間の間だけは低インピーダンス状態を継続するので、保持時間の間に閉状態の接点に腐食防止電流を流して、酸化膜を破壊することができる。


【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】変更
【補正の内容】
【００２０】
また本発明は、前記接点が閉状態となっている期間が前記保持時間の経過後にも継続するときに、前記入力信号ラインの入力インピーダンスが定期的に前記低インピーダンス手段により低インピーダンス状態にされてなることを特徴とする。


【手続補正９】
【補正対象書類名】明細書
【補正対象項目名】００２２
【補正方法】変更
【補正の内容】
【００２２】
また本発明は、スイッチの接点の開閉状態を判定するための入力信号ラインに接続され、該入力信号ラインの入力インピーダンスを、閉状態のスイッチの接点に腐食防止電流を流すことが可能な低インピーダンス状態にしうる低インピーダンス手段と、
該入力信号ラインに接続され、低インピーダンス手段のインピーダンスよりも高いインピーダンスを有する高インピーダンス手段とを備えるスイッチの腐食防止装置において、
スイッチの接点が開状態の間、入力信号ラインの入力インピーダンスが前記低インピーダンス手段により低インピーダンス状態に保たれ、スイッチの接点が閉状態中に予め定められる保持時間には、入力信号ラインの入力インピーダンスが前記低インピーダンス手段により低インピーダンス状態にされて腐食防止電流が流れるとともに、該腐食防止電流の電流値の変化が緩慢化して行われることを特徴とするスイッチの接点腐食防止装置である。


【手続補正１０】
【補正対象書類名】明細書
【補正対象項目名】００２３
【補正方法】変更
【補正の内容】
【００２３】
本発明に従えば、保持時間に入力信号ラインの入力インピーダンスが低インピーダンス手段により低インピーダンス状態になり、閉状態の接点に流れる腐食防止電流は、電流値の変化が緩慢化されるので、急激に変化することがなく、ノイズ発生を抑制することができる。


【手続補正１１】
【補正対象書類名】明細書
【補正対象項目名】００２４
【補正方法】変更
【補正の内容】
【００２４】
また本発明は、スイッチの接点の開閉状態を判定するための入力信号ラインに接続され、該入力信号ラインの入力インピーダンスを、閉状態のスイッチの接点に腐食防止電流を流すことが可能な低インピーダンス状態にしうる低インピーダンス手段と、
該入力信号ラインに接続され、低インピーダンス手段のインピーダンスよりも高いインピーダンスを有する高インピーダンス手段とを備えるスイッチの腐食防止装置において、
スイッチの接点が開状態の間、入力信号ラインの入力インピーダンスが前記低インピーダンス手段により低インピーダンス状態に保たれ、スイッチの接点が閉状態中に予め定められる保持時間には、入力信号ラインの入力インピーダンスが前記低インピーダンス手段により低インピーダンス状態にされて腐食防止電流が流れるとともに、接点の開閉についての時間的な情報に基づいて、該保持時間の長さが変更されることを特徴とするスイッチの接点腐食防止装置である。


【手続補正１２】
【補正対象書類名】明細書
【補正対象項目名】００２５
【補正方法】変更
【補正の内容】
【００２５】
本発明に従えば、スイッチの接点の開閉についての時間的な情報に基づいて、スイッチの接点が閉状態中に入力信号ラインの入力インピーダンスが低インピーダンス手段により低インピーダンス状態になって腐食防止用の電流が流れる保持時間の長さが変更されるので、たとえば、接点の開閉周期が短くなると保持時間も短くなって、省エネルギや発熱低減を図り、しかも腐食防止も確実に行うことができる。


【手続補正１３】
【補正対象書類名】明細書
【補正対象項目名】００２６
【補正方法】変更
【補正の内容】
【００２６】
また本発明は、スイッチの接点の開閉状態を判定するための入力信号ラインに接続され、該入力信号ラインの入力インピーダンスを、閉状態のスイッチの接点に腐食防止電流を流すことが可能な低インピーダンス状態にしうる低インピーダンス手段と、
該入力信号ラインに接続され、低インピーダンス手段のインピーダンスよりも高いインピーダンスを有する高インピーダンス手段とを備えるスイッチの腐食防止装置において、
前記低インピーダンス手段は、スイッチの接点に腐食防止電流を供給する電流供給手段であり、
電流供給手段の温度を検出する温度検出手段を含み、
スイッチの接点が開状態の間、入力信号ラインの入力インピーダンスが前記低インピーダンス手段により低インピーダンス状態に保たれ、スイッチの接点が閉状態中に予め定められる保持時間には、入力信号ラインの入力インピーダンスが前記低インピーダンス手段により低インピーダンス状態にされて腐食防止電流が流れるとともに、温度検出手段が検出する電流供給手段の温度に基づき、温度が高くなると該保持時間が短くなることを特徴とするスイッチの接点腐食防止装置である。


【手続補正１４】
【補正対象書類名】明細書
【補正対象項目名】００２８
【補正方法】変更
【補正の内容】
【００２８】
また本発明は、スイッチの接点の開閉状態を判定するための入力信号ラインに接続され、該入力信号ラインの入力インピーダンスを、閉状態のスイッチの接点に腐食防止電流を流すことが可能な低インピーダンス状態にしうる低インピーダンス手段と、
該入力信号ラインに接続され、低インピーダンス手段のインピーダンスよりも高いインピーダンスを有する高インピーダンス手段とを備えるスイッチの腐食防止装置において、
スイッチが閉状態のときの接点のインピーダンスを検出するインピーダンス検出手段を含み、
スイッチの接点が開状態の間、入力信号ラインの入力インピーダンスが前記低インピーダンス手段により低インピーダンス状態に保たれ、スイッチの接点が閉状態中に予め定められる保持時間には、入力信号ラインの入力インピーダンスが前記低インピーダンス手段により低インピーダンス状態にされて腐食防止電流が流れるとともに、インピーダンス検出手段によって検出される接点のインピーダンスの高低に応じて、該保持時間が長短に変更されることを特徴とするスイッチの接点腐食防止装置である。


【手続補正１５】
【補正対象書類名】明細書
【補正対象項目名】００２９
【補正方法】変更
【補正の内容】
【００２９】
本発明に従えば、インピーダンス検出手段によって、スイッチの接点について、閉状態でのインピーダンスを検出する。接点の酸化が進行すると、閉状態でのインピーダンスが高くなるので、低インピーダンス手段による低インピーダンス状態で腐食防止用に供給される電流の保持時間を長くして、酸化膜の確実な除去を図ることができる。


【手続補正１６】
【補正対象書類名】明細書
【補正対象項目名】００３０
【補正方法】変更
【補正の内容】
【００３０】
また本発明は、スイッチの接点の開閉状態を判定するための入力信号ラインに接続され、該入力信号ラインの入力インピーダンスを、閉状態のスイッチの接点に腐食防止電流を流すことが可能な低インピーダンス状態にしうる低インピーダンス手段と、
該入力信号ラインに接続され、低インピーダンス手段のインピーダンスよりも高いインピーダンスを有する高インピーダンス手段とを備えるスイッチの腐食防止装置において、
スイッチの接点が開状態の間、入力信号ラインの入力インピーダンスが前記低インピーダンス手段により低インピーダンス状態に保たれ、スイッチの接点が閉状態中に予め定められる保持時間には、入力信号ラインの入力インピーダンスが前記低インピーダンス手段により低インピーダンス状態にされて腐食防止電流が流れるとともに、スイッチの使用環境に応じて該保持時間を設定する頻度が変更されることを特徴とするスイッチの接点腐食防止装置である。


【手続補正１７】
【補正対象書類名】明細書
【補正対象項目名】００３１
【補正方法】変更
【補正の内容】
【００３１】
本発明に従えば、たとえば周囲温度や、スイッチによる制御のタイミングなどの使用環境に適合して、酸化膜除去用の腐食防止電流が流れる保持時間を変更し、スイッチの接点の腐食防止を有効に図ることができる。


【手続補正１８】
【補正対象書類名】明細書
【補正対象項目名】００３２
【補正方法】変更
【補正の内容】
【００３２】
また本発明は、スイッチの接点の開閉状態を判定するための入力信号ラインに接続され、該入力信号ラインの入力インピーダンスを、閉状態のスイッチの接点に腐食防止電流を流すことが可能な低インピーダンス状態にしうる低インピーダンス手段と、
該入力信号ラインに接続され、低インピーダンス手段のインピーダンスよりも高いインピーダンスを有する高インピーダンス手段とを備えるスイッチの腐食防止装置において、
スイッチの接点が開状態の間、入力信号ラインの入力インピーダンスが前記低インピーダンス手段により低インピーダンス状態に保たれ、スイッチの接点が開状態から閉状態に遷移すると、少なくとも予め定める遅延時間が経過するまでは、該入力信号ラインの入力インピーダンスは高インピーダンス手段による該高インピーダンス状態にされて、該遅延時間の経過後に、該入力信号ラインの入力インピーダンスは該低インピーダンス状態にされて腐食防止電流が流れることを特徴とするスイッチの接点腐食防止装置である。


【手続補正１９】
【補正対象書類名】明細書
【補正対象項目名】００３３
【補正方法】変更
【補正の内容】
【００３３】
本発明に従えば、スイッチの接点が閉状態から開状態に遷移する際にはチャタリングが生じる。接点が短時間の繰返しで閉状態になっても、腐食防止電流が流れる低インピーダンス状態に移行するのは予め設定される遅延時間が過ぎてからであるので、チャタリングによる瞬間的な大電流の流出を防止することができる。


【手続補正２０】
【補正対象書類名】明細書
【補正対象項目名】００３４
【補正方法】変更
【補正の内容】
【００３４】
また本発明で、前記遅延時間は、前記スイッチのチャタリングに対応する時間であることを特徴とする。


【手続補正２１】
【補正対象書類名】明細書
【補正対象項目名】００３５
【補正方法】変更
【補正の内容】
【００３５】
本発明に従えば、スイッチの接点が開状態と閉状態との間で遷移するときに生じるチャタリングに対応する時間として遅延時間を設定するので、チャタリングの影響を避けることができる。


【手続補正２２】
【補正対象書類名】明細書
【補正対象項目名】００３６
【補正方法】変更
【補正の内容】
【００３６】
また本発明で、前記低インピーダンス手段に供給される電源電圧は、前記高インピーダンス手段に供給される電源電圧よりも高いことを特徴とする。


【手続補正２３】
【補正対象書類名】明細書
【補正対象項目名】００３７
【補正方法】変更
【補正の内容】
【００３７】
本発明に従えば、低インピーダンス手段に供給される電源電圧は、高インピーダンス手段に供給される電源電圧よりも高いので、スイッチの接点が閉状態のときに、低インピーダンス手段は腐食防止電流として容易に大電流を供給し、確実に腐食防止を図ることができる。


【手続補正２４】
【補正対象書類名】明細書
【補正対象項目名】００５７
【補正方法】変更
【補正の内容】
【００５７】
図１４は、本発明の参考形態として、スイッチの接点腐食防止装置７０の概略的な電気的構成を示す。本実施形態には、抵抗７１およびコンデンサ７２と、切換えスイッチ７３とを含む電流供給回路７４は、制御回路７６によって切換えスイッチ７３が制御される。切換えスイッチ７３は、機械的な接点を有するリレーなどを使用したり、電子的なスイッチング素子を用いて構成することができる。本実施形態のスイッチの接点腐食防止装置７０も、コンデンサ７２を除いて容易にＩＣ化することができる。コンデンサ７２の容量を数１００ｐＦ以上に大きくする場合は、コンデンサ７２を外付けとしてＩＣ化することができる。


【手続補正２５】
【補正対象書類名】明細書
【補正対象項目名】００５８
【補正方法】変更
【補正の内容】
【００５８】
電流供給回路７４では、スイッチ２１の接点の開閉状態に応じた電気的な入力を行う際に、接点に定格電流容量に対応する腐食防止用の電流を流すために、電流を供給するか否かを切換えスイッチ７３で制御可能である。電流供給を行わないときには、コンデンサ７２に電源ライン２５から抵抗７１を介して電荷を蓄える充電を行い、電流供給時にはコンデンサ７２に蓄えられた電荷を放電する。スイッチ２１の接点が閉状態であれば、切換えスイッチ７３を充電側から放電側に切換えることによって、接点に腐食防止用の電流を供給することが可能となる。切換えスイッチ７３の切換えは、制御回路７６によって制御される。制御回路７６は、スイッチ２１の接点の開閉状態を検知して、接点が閉状態のときに、電荷が充電されていれば、電流供給手段７４から接点への電流供給を行うように制御する。


【手続補正２６】
【補正対象書類名】明細書
【補正対象項目名】００６０
【補正方法】変更
【補正の内容】
【００６０】
図１６は、本発明の実施の第１０形態として、スイッチの接点腐食防止装置８０の概略的な電気的構成を示す。本実施形態では、電流供給回路２４に電源ライン２５Ａから、スイッチ２１の開閉状態の入力のためなど、他の回路部分に電源ライン２５Ｂから印加する電圧よりも高い電圧を印加する。たとえば自動車にスイッチの接点腐食防止装置８０を含むＥＣＵなどを搭載する場合、電源ライン２５Ａには、発電機やバッテリから直接供給される＋Ｂラインからの電圧を与える。電源ライン２５Ｂには、ロジック回路用に安定化された電圧を与える。


【手続補正２７】
【補正対象書類名】明細書
【補正対象項目名】００６２
【補正方法】変更
【補正の内容】
【００６２】
【発明の効果】
以上のように本発明によれば、スイッチの接点が開状態のときには、入力信号ラインの入力インピーダンスは、高インピーダンス手段が接点の開閉状態を判定するための入力インピーダンスよりも低い低インピーダンス状態となって、耐ノイズ性などを向上させて、信頼性が高い入力を行うことができる。入力インピーダンスが低くなっても、スイッチの接点は開状態であるので、大電流は流れず、消費電力の増加や発熱の増加を招くことはない。スイッチの接点が閉状態となれば、保持時間だけ接点に腐食防止用の電流が供給され、消費電力や発熱の増大を避けながら、接点の酸化膜を除去して腐食防止を有効に図ることができる。


【手続補正２８】
【補正対象書類名】明細書
【補正対象項目名】００６３
【補正方法】削除
【補正の内容】
【手続補正２９】
【補正対象書類名】明細書
【補正対象項目名】００６４
【補正方法】削除
【補正の内容】
【手続補正３０】
【補正対象書類名】明細書
【補正対象項目名】００７０
【補正方法】変更
【補正の内容】
【００７０】
また本発明によれば、たとえば周囲温度などの使用環境に適合して保持時間を変更し、スイッチの接点の腐食防止を有効に図ることができる。


【手続補正３１】
【補正対象書類名】明細書
【補正対象項目名】００７１
【補正方法】変更
【補正の内容】
【００７１】
また本発明によれば、スイッチの接点が閉状態から開状態に遷移する際に生じるチャタリングで、接点が短時間の繰返しで閉状態になっても、瞬間的な大電流の流出を防止することができる。


【手続補正３２】
【補正対象書類名】明細書
【補正対象項目名】００７２
【補正方法】変更
【補正の内容】
【００７２】
また本発明によれば、遅延時間をチャタリングに対応させるので、チャタリングの影響を避けることができる。


【手続補正３３】
【補正対象書類名】明細書
【補正対象項目名】図１４
【補正方法】変更
【補正の内容】
【図１４】
本発明の参考形態として、スイッチの接点腐食防止装置７０の概略的な電気的構成を示すブロック図である。


【手続補正３４】
【補正対象書類名】明細書
【補正対象項目名】図１５
【補正方法】変更
【補正の内容】
【図１５】
図１４の参考形態で、スイッチ２１のオン・オフ操作と、接点に流れる負荷電流の変化とを示すタイムチャートである。


【手続補正３５】
【補正対象書類名】明細書
【補正対象項目名】図１６
【補正方法】変更
【補正の内容】
【図１６】
本発明の実施の第１０形態として、スイッチの接点腐食防止装置８０の概略的な電気的構成を示すブロック図である。